(57)【要約】【課題】簡易な構成で、ドレン水の凍結による管路の閉塞を防止することができる燃料電池発電装置を提供する。【解決手段】燃料電池発電装置の稼働中は、制御装置は、水タンクに設けられた水タンク水位センサの水位情報を常時監視し（ステップ２０１）、水タンクの水位が予め設定された標準レベルと比べて低位か否かを判断する（ステップ２０２）。水タンクの水位が標準レベルより高レベルの場合には、ドレン排水を抑制するように制御する（ステップ２０３）。一方、水タンクの水位が標準レベルより低レベルの場合には、ドレン排水を抑制しないように制御する（ステップ２０４）。続いて、ステップ２０５において、該燃料電池の運転を停止するか否かを判断し、燃料電池の運転を継続する場合には、ステップ２０１に戻り、上記の処理を繰り返す。一方、燃料電池の運転を停止する場合には、処理を終了する。【選択図】図２
2010015937.tif 000002
【特許請求の範囲】
【請求項１】
水素を含む燃料ガス及び空気を用いて発電する燃料電池と、
該燃料電池から水を回収する水回収手段と、
回収した水を蓄える水タンクと、
前記水タンクに取り付けた水位センサと、を備え、
前記水位センサによって、前記水タンクの水位が予め設定されたレベルより高水位であることが検出された場合に、ドレン水の排出を抑制するように制御する制御装置を備えたことを特徴とする燃料電池発電装置。
【請求項２】
前記水回収手段は排ガス凝縮熱交換器であり、
前記制御装置による制御が、前記水位センサによって、前記水タンクの水位が予め設定されたレベルより高水位であることが検出された場合に、前記排ガス凝縮熱交換器の排熱回収温度の指示値を、予め設定された標準値より上昇させることにより、ドレン水の排出を抑制するように構成されていることを特徴とする請求項１に記載の燃料電池発電装置。
【請求項３】
前記水回収手段は排ガス凝縮熱交換器であり、
前記制御装置による制御が、前記水位センサによって、前記水タンクの水位が予め設定されたレベルより高水位であることが検出された場合に、前記排ガス凝縮熱交換器の排熱回収戻水温度の指示値を、予め設定された標準値より上昇させることにより、ドレン水の排出を抑制するように構成されていることを特徴とする請求項１に記載の燃料電池発電装置。
【請求項４】
燃料電池に供給する水素を含む燃料ガスを、炭化水素と水を化学反応させて生成する燃料改質装置を有し、
前記制御装置による制御が、前記水位センサによって、前記水タンクの水位が予め設定されたレベルより高水位であることが検出された場合に、前記燃料改質装置に供給される前記水の量を増加させることにより、ドレン水の排出を抑制するように構成されていることを特徴とする請求項１に記載の燃料電池発電装置。
【請求項５】
前記水回収手段は排ガス凝縮熱交換器であり、
前記制御装置による制御が、前記水位センサによって、前記水タンクの水位が予め設定されたレベルより高水位であることが検出された場合に、前記排ガス凝縮熱交換器への冷水の供給を停止させることにより、ドレン水の排出を抑制するように構成されていることを特徴とする請求項１に記載の燃料電池発電装置。
【請求項６】
前記制御装置による制御が、前記水位センサによって、前記水タンクの水位が予め設定されたレベルより高水位であることが検出された場合に、燃料電池に供給する空気の流量を増加させることにより、ドレン水の排出を抑制するように構成されていることを特徴とする請求項１に記載の燃料電池発電装置。
【請求項７】
外気温度の計測手段をさらに備え、
外気温が凍結環境となったときに、前記制御装置によりドレン水の排出を抑制する制御を行なうように構成されていることを特徴とする請求項１乃至請求項６のいずれか一に記載の燃料電池発電装置。
【発明の詳細な説明】
【技術分野】
【０００１】
本発明は燃料電池発電装置に係り、特に、ドレン水の凍結による管路閉塞を防止すべく改良を施した燃料電池発電装置に関するものである。
【背景技術】
【０００２】
燃料電池発電装置は、電気化学反応により電気とともに温水等の熱を提供し、総合的に高い効率で運用することができる発電装置であるが、水素と酸素を燃料電池スタックで化学反応させる場合、電気化学反応の結果、水が生成される。この水は、都市ガスや液化石油ガスを改質装置にて水蒸気改質し水素を生成するための水として、あるいは固体高分子形燃料電池の加湿用の水として使用されるが、バランス上、水が余剰となった場合には、その余剰水（ドレン水）は系外に排出されるように構成されている。
【０００３】
このような燃料電池発電装置が寒冷地に設置された場合、前記の系外に排出されるドレン水及び管路が凍結し、燃料電池発電装置の運転に支障をきたす可能性があるため、水路が凍結しないように保温電気ヒータ等で加温する構造とする必要があった。
【０００４】
また、燃料電池での生成水の回収に関しては、特許文献１に示されたような、燃料電池の加湿用の水の流量を調節することで補給水を抑制するための制御を行なう公知例があるが、この発明は、潜熱冷却方式を適用した燃料電池の冷却能力が外気温度に依存するという課題を克服するためのものである。
【特許文献１】特開２００３−１１５３２０号公報
【発明の開示】
【発明が解決しようとする課題】
【０００５】
上述したように、寒冷地に設置された燃料電池発電装置においては、ドレン水の凍結による管路閉塞を防止するために、ドレン配管に巻かれた電気ヒータ等により凍結防止措置を講じる必要があるため、燃料電池発電装置の据付工事が非常に複雑なものとなっていた。そのため、簡易な据付工事でドレン水の凍結に対する問題点を解決することができる、ドレン排出抑制制御機能を有する燃料電池発電装置の開発が切望されていた。
【０００６】
本発明は、上述したような従来技術の問題点を解決するために提案されたものであって、その目的は、簡易な構成で、ドレン水の凍結による管路の閉塞を防止することができる燃料電池発電装置を提供することにある。
【課題を解決するための手段】
【０００７】
上記の目的を達成するため、請求項１に記載の燃料電池発電装置は、水素を含む燃料ガス及び空気を用いて発電する燃料電池と、該燃料電池から水を回収する水回収手段と、回収した水を蓄える水タンクと、前記水タンクに取り付けた水位センサと、を備え、前記水位センサによって、前記水タンクの水位が予め設定されたレベルより高水位であることが検出された場合に、ドレン水の排出を抑制するように制御する制御装置を備えたことを特徴とするものである。
【０００８】
上記のような構成を有する請求項１の発明によれば、燃料電池発電装置の稼働中、制御装置によって水タンクに設けられた水位センサの水位情報を常時監視し、水タンクの水位が予め設定された標準レベルより高レベルの場合には、ドレン排水を抑制するように制御し、水タンクの水位が標準レベルより低レベルの場合には、ドレン排水を抑制しないように制御することができる。その結果、ドレン水の凍結や管路の閉塞が起こりやすい状況となった場合に、簡易な構成で、ドレン排水を抑制するように制御することができるので、ドレン水の凍結に対する問題点を解決することができる。
【０００９】
請求項２に記載の発明は、請求項１に記載の燃料電池発電装置において、前記水回収手段は排ガス凝縮熱交換器であり、前記制御装置による制御が、前記水位センサによって、前記水タンクの水位が予め設定されたレベルより高水位であることが検出された場合に、前記排ガス凝縮熱交換器の排熱回収温度の指示値を、予め設定された標準値より上昇させることにより、ドレン水の排出を抑制するように構成されていることを特徴とするものである。
【００１０】
上記のような構成を有する請求項２の発明は、制御装置による制御方法をより具体的に規定したものであって、水タンクの水位が標準レベルより高レベルの場合には、排熱回収温度の指示値を予め設定された標準値より上昇させることにより、凝縮水の回収能力を低下させてドレン排水を抑制するように制御することができる。
【００１１】
請求項７に記載の発明は、請求項１乃至請求項６のいずれか一に記載の燃料電池発電装置において、外気温度の計測手段をさらに備え、外気温が凍結環境となったときに、前記制御装置によりドレン水の排出を抑制する制御を行なうように構成されていることを特徴とするものである。
【００１２】
上記のような構成を有する請求項７の発明によれば、外気温度が凍結環境となった場合にのみドレン水の排出抑制制御を有効とすることにより、本来の排熱回収効率の低下を防止することができる。
【発明の効果】
【００１３】
以上のような本発明によれば、簡易な構成で、ドレン水の凍結による管路の閉塞を防止することができる燃料電池発電装置を提供することができる。
【発明を実施するための最良の形態】
【００１４】
以下、本発明に係る燃料電池発電装置の実施の形態について、図面を参照して具体的に説明する。
【００１５】
（１）第１実施形態
（１−１）構成
本実施形態の燃料電池発電装置１は、図１に示すように、大別して、改質器２、ＣＯ変成・除去器３、燃料電池４、排ガス凝縮熱交換器５、水タンク６及び制御装置２０から構成されている。また、前記水タンク６には、水タンク水位センサ１２が設けられ、その検出信号が前記制御装置２０に送信されるように構成されている。
【００１６】
すなわち、本実施形態の燃料電池発電装置１においては、都市ガスや液化石油ガスを代表とする燃料は、改質水ポンプ８によって水タンク６から供給された改質水と共に改質器２に導入され、改質反応によって水素リッチガスとされ、ＣＯ変成・除去器３で一酸化炭素濃度が低減された後に燃料電池４の燃料極に導入されるように構成されている。一方、燃料電池４の空気極には、空気ブロワ１１を介して空気が供給されるように構成されている。
【００１７】
燃料電池４内では、燃料電池４の燃料極に導入された燃料と、空気極に供給された酸素とが化学反応して電気と熱を発生する。また、燃料電池４は電池加湿水ポンプ７によって水タンク６から供給された冷却水によって加湿・冷却されるように構成されている。
【００１８】
また、燃料電池４内で反応に用いられなかった水素は、前記改質器２に導入されて燃焼し、前述の改質反応のための熱源として使用される。また、前記改質器２内で燃焼した燃焼排ガス及び燃料電池の空気極からの排気ガスは多量の水分を含んでいるため、排ガス凝縮熱交換器５に導入されて冷却されることにより、これらのガス中の水分は凝縮回収される。このようにして凝縮回収された水は水タンク６に集められ、再び改質水、電池冷却・加湿水として使用されるように構成されている。
【００１９】
なお、前記排ガス凝縮熱交換器５の冷熱源となった湯は、排熱回収ポンプ９により、該燃料電池発電装置１の外部に設置された貯湯タンク１０に蓄えられ、給湯利用等に供される。
【００２０】
また、前記制御装置２０は、常時、水タンク６の水タンク水位センサ１２の水位情報を受信し、水タンク６の水位が予め設定された所定のレベル（以下、標準レベルという）より高レベルの場合には、排熱回収ポンプ９の出力を、排熱回収ポンプ９の排出水流量が低下するように制御し、一方、水タンク６の水位が標準レベルより低レベルの場合には、排熱回収ポンプ９の出力を、排熱回収ポンプ９の排出水流量が標準状態を維持するように制御するように構成されている。
【００２１】
なお、前記排熱回収ポンプ９の出力制御の具体的な方法としては、例えば、排熱回収ポンプ９が遠心式ポンプの場合には、その回転速度を増減する方法を用いることができ、排熱回収ポンプ９がプランジャー式ポンプの場合には、プランジャーの往復速度を増減する方法を用いることができる。また、プランジャー式ポンプの動力源として電磁石を用い、ＯＮ／ＯＦＦ周期を変化させる方法を用いることもできる。
【００２２】
（１−２）作用
上記のような構成を有する本実施形態の燃料電池発電装置は、以下のように作用する。すなわち、図２のフローチャートに示したように、燃料電池発電装置の稼働中は、制御装置２０は、水タンク６に設けられた水タンク水位センサ１２の水位情報を常時監視し（ステップ２０１）、水タンク６の水位が予め設定された標準レベルと比べて低位か否かを判断する（ステップ２０２）。
【００２３】
水タンク６の水位が標準レベルより高レベルの場合には、排熱回収ポンプ９の出力を、排熱回収ポンプ９の排出水流量が低下するように制御する（ステップ２０３）。一方、水タンク６の水位が標準レベルより低レベルの場合には、排熱回収ポンプ９の出力を、排熱回収ポンプ９の排出水流量が標準状態を維持するように制御する（ステップ２０４）。
【００２４】
続いて、ステップ２０５において、該燃料電池の運転を停止するか否かが判断され、燃料電池の運転を継続する場合には、ステップ２０１に戻り、上記の処理が繰り返される。一方、燃料電池の運転を停止する場合には、処理を終了する。
【００２５】
（１−３）効果
このように、本実施形態によれば、水タンクの水位が予め設定された標準レベルより高レベルの場合、言い換えれば、ドレン水の凍結や管路の閉塞が起こりやすい状況となった場合には、ドレン排水を抑制するように制御することができるので、簡易な据付工事でドレン水の凍結に対する問題点を解決することができる。
【００２６】
（２）第２実施形態
（２−１）構成
本実施形態の燃料電池発電装置においては、図３に示すように、排ガス凝縮熱交換器５と貯湯タンク１０の間に配設された管路１６に、排熱回収温度計１３が設けられている。また、前記制御装置２０によって、排熱回収温度計１３の指示値が適宜変更されるように構成されている。その他の構成は、上記第１実施形態と同様であるので、説明は省略する。
【００２７】
なお、前記制御装置２０は、燃料電池発電装置の通常運転時には、排熱回収温度計１３の指示値を予め設定された所定の温度（標準値Ａ）として、凝縮水の回収能力を制御するように構成されている。
【００２８】
一方、水タンク６の水位が標準レベルより高レベルの場合には、排熱回収温度計１３の指示値を、前記“標準値Ａ”よりも高い“設定値Ｂ”となるように制御し、水位が標準レベルより低レベルの場合には、排熱回収温度計１３の指示値を “標準値Ａ”とするように制御するように構成されている。
【００２９】
例えば、水タンク６の水位が標準レベルより高レベルの場合には、排熱回収温度計１３の指示値を通常の６０℃から６５℃程度まで上昇させることにより、凝縮温度を上昇させ、冷水流量を低減させることができる。このようにして凝縮水の回収能力を低下させることにより、ドレン排水を抑制することができるように構成されている。
【００３０】
（２−２）作用
上記のような構成を有する本実施形態の燃料電池発電装置は、以下のように作用する。すなわち、図４のフローチャートに示したように、燃料電池発電装置の稼働中は、制御装置２０は、水タンク６に設けられた水タンク水位センサ１２の水位情報を常時監視し（ステップ４０１）、水タンク６の水位が予め設定された標準レベルと比べて低位か否かを判断する（ステップ４０２）。
【００３１】
水タンク６の水位が標準レベルより高レベルの場合には、排熱回収温度計１３の指示値を“標準値Ａ”よりも高い“設定値Ｂ”となるように設定変更することにより、凝縮水の回収能力を低下させてドレン排水を抑制するように制御する（ステップ４０３）。
【００３２】
一方、水タンク６の水位が標準レベルより低レベルの場合には、排熱回収温度計１３の指示値を“標準値Ａ”とすることにより、通常の凝縮水の回収能力を維持してドレン排水を抑制しないように制御する（ステップ４０４）。
【００３３】
続いて、ステップ４０５において、該燃料電池の運転を停止するか否かが判断され、燃料電池の運転を継続する場合には、ステップ４０１に戻り、上記の処理が繰り返される。一方、燃料電池の運転を停止する場合には、処理を終了する。
【００３４】
（２−３）効果
このように、本実施形態によれば、水タンクの水位が予め設定された標準レベルより高レベルの場合、言い換えれば、ドレン水の凍結や管路の閉塞が起こりやすい状況となった場合には、ドレン排水を抑制しつつ、外部からの補給水を抑えることができるので、簡易な据付工事でドレン水の凍結に対する問題点を解決することができる。
【００３５】
（３）第３実施形態
（３−１）構成
本実施形態の燃料電池発電装置においては、図５に示すように、貯湯タンク１０と排熱回収ポンプ９の間に配設された管路１４には排熱回収戻水温度調整弁１５が設けられ、この排熱回収戻水温度調整弁１５には、排ガス凝縮熱交換器５と貯湯タンク１０の間に配設された管路１６から分岐されたバイパス路１７が接続されている。
【００３６】
また、排ガス凝縮熱交換器５と排熱回収ポンプ９の間には、排熱回収戻水温度計１８が設けられている。そして、前記制御装置２０によって、排熱回収戻水温度計１８の指示値が適宜変更されるように構成されると共に、それに伴って、排熱回収戻水温度調整弁１５を制御するように構成されている。その他の構成は、上記第１実施形態と同様であるので、説明は省略する。
【００３７】
なお、前記制御装置２０は、燃料電池発電装置の通常運転時には、排熱回収戻水温度計１８の指示値を予め設定された所定の温度（標準値Ｃ）とし、排熱回収戻水温度調整弁１５の開度を調整して、凝縮水の回収能力を制御するように構成されている。
【００３８】
一方、水タンク６の水位が標準レベルより高レベルの場合には、排熱回収戻水温度計１８の指示値を前記“標準値Ｃ”よりも高い“設定値Ｄ”となるように制御し、水位が標準レベルより低レベルの場合には、排熱回収戻水温度計１８の指示値を“標準値Ｃ”とするように制御し、排熱回収戻水温度調整弁１５の開度を調整して、凝縮水の回収能力を制御するように構成されている。
【００３９】
（３−２）作用
上記のような構成を有する本実施形態の燃料電池発電装置は、以下のように作用する。すなわち、図６のフローチャートに示したように、燃料電池発電装置の稼働中は、制御装置２０は、水タンク６に設けられた水タンク水位センサ１２の水位情報を常時監視し（ステップ６０１）、水タンク６の水位が予め設定された標準レベルと比べて低位か否かを判断する（ステップ６０２）。
【００４０】
水タンク６の水位が標準レベルより高レベルの場合には、排熱回収戻水温度計１８の指示値を前記“標準値Ｃ”よりも高い“設定値Ｄ”となるように設定変更すると共に（ステップ６０３）、この設定値に従って排熱回収戻水温度調整弁１５の開度を調整して、凝縮水の回収能力を低下させてドレン排水を抑制するように制御する（ステップ６０４）。
【００４１】
一方、水タンク６の水位が標準レベルより低レベルの場合には、排熱回収戻水温度計１８の指示値を“標準値Ｃ”とするように制御し（ステップ６０５）、この設定値に従って排熱回収戻水温度調整弁１５の開度を調整することにより、通常の凝縮水の回収能力を維持してドレン排水を抑制しないように制御する（ステップ６０４）。
【００４２】
続いて、ステップ６０６において、該燃料電池の運転を停止するか否かが判断され、燃料電池の運転を継続する場合には、ステップ６０１に戻り、上記の処理が繰り返される。一方、燃料電池の運転を停止する場合には、処理を終了する。
【００４３】
（３−３）効果
このように、本実施形態によれば、水タンクの水位が予め設定された標準レベルより高レベルの場合、言い換えれば、ドレン水の凍結や管路の閉塞が起こりやすい状況となった場合には、ドレン排水を抑制しつつ、外部からの補給水を抑えることができるので、簡易な据付工事でドレン水の凍結に対する問題点を解決することができる。
【００４４】
（４）第４実施形態
（４−１）構成
本実施形態の燃料電池発電装置においては、前記制御装置２０によって、改質水ポンプ８の流量が適宜変更されるように構成されている。なお、通常は、改質水ポンプ８は、改質に適切な標準水量を供給するように構成されている。
【００４５】
すなわち、本実施形態においては、前記制御装置２０は、燃料電池発電装置の通常運転時には、改質水ポンプ８の流量を予め設定された所定の水量（標準値Ｅ）として、排ガス凝縮熱交換器５より大気に放出する排ガス中の水蒸気量を調整するように構成されている。
【００４６】
一方、水タンク６の水位が標準レベルより高レベルの場合には、改質水ポンプ８の流量を前記“標準値Ｅ”よりも高い“設定値Ｆ”となるように制御し、水位が標準レベルより低レベルの場合には、改質水ポンプ８の流量を“標準値Ｅ”とするように制御するように構成されている。
【００４７】
（４−２）作用
上記のような構成を有する本実施形態の燃料電池発電装置は、以下のように作用する。すなわち、図７のフローチャートに示したように、燃料電池発電装置の稼働中は、制御装置２０は、水タンク６に設けられた水タンク水位センサ１２の水位情報を常時監視し（ステップ７０１）、水タンク６の水位が予め設定された標準レベルと比べて低位か否かを判断する（ステップ７０２）。
【００４８】
水タンク６の水位が標準レベルより高レベルの場合には、改質水ポンプ８の流量を前記“標準値Ｅ”よりも高い“設定値Ｆ”となるように設定変更して、排ガス凝縮熱交換器５より大気に放出される排ガス中の水蒸気量を増加させることによりドレン排水を抑制するように制御する（ステップ７０３）。
【００４９】
一方、水タンク６の水位が標準レベルより低レベルの場合には、改質水ポンプ８の流量を“標準値Ｅ”とするように制御して、排ガス凝縮熱交換器５より大気に放出される排ガス中の水蒸気量を通常運転時の状態としてドレン排水を抑制しないように制御する（ステップ７０４）。
【００５０】
続いて、ステップ７０５において、該燃料電池の運転を停止するか否かが判断され、燃料電池の運転を継続する場合には、ステップ７０１に戻り、上記の処理が繰り返される。一方、燃料電池の運転を停止する場合には、処理を終了する。
【００５１】
（４−３）効果
このように、本実施形態によれば、水タンクの水位が予め設定された標準レベルより高レベルの場合、言い換えれば、ドレン水の凍結や管路の閉塞が起こりやすい状況となった場合には、ドレン排水を抑制しつつ、外部からの補給水を抑えることができるので、簡易な据付工事でドレン水の凍結に対する問題点を解決することができる。
【００５２】
（５）第５実施形態
（５−１）構成
本実施形態の燃料電池発電装置においては、図８に示すように、排熱回収ポンプ９と排ガス凝縮熱交換器５の間に配設された管路１９には、排ガス凝縮熱交換器バイパス弁２１が設けられ、この排ガス凝縮熱交換器バイパス弁２１には、排ガス凝縮熱交換器５と貯湯タンク１０の間に配設された管路１６へ合流するバイパス路２２が接続されている。また、前記管路１６には、排熱回収温度計１３が設けられている。
【００５３】
また、前記制御装置２０は、燃料電池発電装置の通常運転時には、排ガス凝縮熱交換器バイパス弁２１を中間開度として、排ガス凝縮熱交換器５へ導入される冷却水流量を適宜制御することができるように構成されている。例えば、前記排熱回収温度計１３の検出値に基づいて、排ガス凝縮熱交換器バイパス弁２１の開度を適宜変更して、排ガス凝縮熱交換器５へ導入される冷却水流量を調節することができるように構成することができる。
【００５４】
また、本実施形態においては、水タンク６の水位が標準レベルより高レベルの場合には、排ガス凝縮熱交換器バイパス弁２１をバイパス路２２側に切り替えて、排ガス凝縮熱交換器５へ導入される冷却水の流量を減少させて、凝縮水の回収量を制御するように構成されている。一方、水位が標準レベルより低レベルの場合には、排ガス凝縮熱交換器バイパス弁２１を排ガス凝縮熱交換器５側とするように制御して、凝縮水の回収量を通常運転時の状態とするように構成されている。
【００５５】
（５−２）作用
上記のような構成を有する本実施形態の燃料電池発電装置は、以下のように作用する。すなわち、図９のフローチャートに示したように、燃料電池発電装置の稼働中は、制御装置２０は、水タンク６に設けられた水タンク水位センサ１２の水位情報を常時監視し（ステップ１００１）、水タンク６の水位が予め設定された標準レベルと比べて低位か否かを判断する（ステップ１００２）。
【００５６】
水タンク６の水位が標準レベルより高レベルの場合には、排ガス凝縮熱交換器バイパス弁２１をバイパス側に切り替えて、排ガス凝縮熱交換器５へ導入される冷却水の流量を減少させて、凝縮水の回収量を減少させることによりドレン排水を抑制するように制御する（ステップ１００３）。
【００５７】
一方、水タンク６の水位が標準レベルより低レベルの場合には、排ガス凝縮熱交換器バイパス弁２１を排ガス凝縮熱交換器５側とするように制御して、凝縮水の回収量を通常運転時の状態とするように制御する（ステップ１００４）。
【００５８】
続いて、ステップ１００５において、該燃料電池の運転を停止するか否かが判断され、燃料電池の運転を継続する場合には、ステップ１００１に戻り、上記の処理が繰り返される。一方、燃料電池の運転を停止する場合には、処理を終了する。
【００５９】
（５−３）効果
このように、本実施形態によれば、水タンクの水位が予め設定された標準レベルより高レベルの場合、言い換えれば、ドレン水の凍結や管路の閉塞が起こりやすい状況となった場合には、排ガス凝縮熱交換器５より大気に放出する排ガス中の水蒸気量を調整することでドレン排水を抑制しつつ、外部からの補給水を抑えることができるので、簡易な据付工事でドレン水の凍結に対する問題点を解決することができる。
【００６０】
（６）第６実施形態
（６−１）構成
本実施形態の燃料電池発電装置においては、前記制御装置２０によって、空気ブロワ１１の空気流量が適宜変更されるように構成されている。なお、通常は、空気ブロワ１１は、発電に適切な空気量を供給するように構成されている。
【００６１】
すなわち、本実施形態においては、前記制御装置２０は、燃料電池発電装置の通常運転時には、空気ブロワ１１の空気流量を、予め設定された所定の空気流量（標準値Ｇ）として、排ガス凝縮熱交換器５より大気に放出する排ガス中の水蒸気量を調整するように構成されている。
【００６２】
一方、水タンク６の水位が標準レベルより高レベルの場合には、空気ブロワ１１の空気流量を前記“標準値Ｇ”よりも高い“設定値Ｈ”となるように制御し、水位が標準レベルより低レベルの場合には、空気ブロワ１１の空気流量を“標準値Ｇ”とするように制御するように構成されている。
【００６３】
（６−２）作用
上記のような構成を有する本実施形態の燃料電池発電装置は、以下のように作用する。すなわち、図１０のフローチャートに示したように、燃料電池発電装置の稼働中は、制御装置２０は、水タンク６に設けられた水タンク水位センサ１２の水位情報を常時監視し（ステップ１００１）、水タンク６の水位が予め設定された標準レベルと比べて低位か否かを判断する（ステップ１００２）。
【００６４】
水タンク６の水位が標準レベルより高レベルの場合には、空気ブロワ１１の空気流量を前記“標準値Ｇ”よりも高い“設定値Ｈ”となるように設定変更して、排ガス凝縮熱交換器５より大気に放出する排ガス中の水蒸気量を増加させることによりドレン排水を抑制するように制御する（ステップ１００３）。
【００６５】
一方、水タンク６の水位が標準レベルより低レベルの場合には、空気ブロワ１１の空気流量を“標準値Ｇ”とするように制御して、排ガス凝縮熱交換器５より大気に放出される排ガス中の水蒸気量を通常運転時の状態としてドレン排水を抑制しないように制御する（ステップ１００４）。
【００６６】
続いて、ステップ１００５において、該燃料電池の運転を停止するか否かが判断され、燃料電池の運転を継続する場合には、ステップ１００１に戻り、上記の処理が繰り返される。一方、燃料電池の運転を停止する場合には、処理を終了する。
【００６７】
（６−３）効果
このように、本実施形態によれば、水タンクの水位が予め設定された標準レベルより高レベルの場合、言い換えれば、ドレン水の凍結や管路の閉塞が起こりやすい状況となった場合には、排ガス凝縮熱交換器５より大気に放出する排ガス中の水蒸気量を調整することでドレン排水を抑制しつつ、外部からの補給水を抑えることができるので、簡易な据付工事でドレン水の凍結に対する問題点を解決することができる。
【００６８】
（７）第７実施形態
（７−１）構成
本実施形態の燃料電池発電装置は、上記第１実施形態の構成に外気温度計２３を追加したものであって、図１１に示すように、制御装置１０に外気温度計２３の検出値が送信されるように構成され、ドレン排水の抑制制御は、外気温が凍結温度となった場合にのみ実施されるように構成されている。
【００６９】
（７−２）作用
上記のような構成を有する本実施形態の燃料電池発電装置においては、図１２のフローチャートに示したように、燃料電池発電装置の稼働中は、制御装置２０は、水タンク６に設けられた水タンク水位センサ１２の水位情報と、外気温度計２３の温度情報を常時監視し（ステップ１２０１）、外気温度が凍結温度以下か否かを判断し（ステップ１２０２）、外気温度が凍結温度以下である場合には、水タンク６の水位が予め設定された標準レベルと比べて低位か否かを判断する（ステップ１２０３）。
【００７０】
水タンク６の水位が標準レベルより高レベルの場合には、ドレン排水を抑制するように制御し（ステップ１２０４）、水タンク６の水位が標準レベルより低レベルの場合には、ドレン排水を抑制しないように制御する（ステップ１２０５）。
【００７１】
一方、ステップ１２０２において、外気温度が凍結温度以上である場合には、ドレン排水の抑制処理は行わずに、ステップ１２０６に進み、該燃料電池の運転を停止するか否かが判断され、燃料電池の運転を継続する場合には、ステップ１２０１に戻り、上記の処理が繰り返される。一方、燃料電池の運転を停止する場合には、処理を終了する。
【００７２】
（７−３）効果
このように、本実施形態によれば、外気温度が凍結環境となった場合にのみドレン水の排出抑制制御を有効とすることにより、本来の排熱回収効率の低下を防止することができる。
【００７３】
（８）他の実施形態
本発明は、上述したような実施形態に限定されるものではなく、第７実施形態に示した外気温が凍結温度以下となった場合にのみドレン水の排出抑制制御を有効とする方法を、上記第２実施形態〜第６実施形態に適用することができることは言うまでもない。
【図面の簡単な説明】
【００７４】
【図１】本発明に係る燃料電池発電装置の第１実施形態の構成を示す図
【図２】第１実施形態における処理の流れを示すフローチャート
【図３】本発明に係る燃料電池発電装置の第２実施形態の構成を示す図
【図４】第２実施形態における処理の流れを示すフローチャート
【図５】本発明に係る燃料電池発電装置の第３実施形態の構成を示す図
【図６】第３実施形態における処理の流れを示すフローチャート
【図７】第４実施形態における処理の流れを示すフローチャート
【図８】本発明に係る燃料電池発電装置の第５実施形態の構成を示す図
【図９】第５実施形態における処理の流れを示すフローチャート
【図１０】第６実施形態における処理の流れを示すフローチャート
【図１１】本発明に係る燃料電池発電装置の第７実施形態の構成を示す図
【図１２】第７実施形態における処理の流れを示すフローチャート
【符号の説明】
【００７５】
１…燃料電池発電装置
２…改質器
３…ＣＯ変成・除去器
４…燃料電池
５…排ガス凝縮熱交換器
６…水タンク
７…電池加湿水ポンプ
８…改質水ポンプ
９…排熱回収ポンプ
１０…貯湯タンク
１１…空気ブロワ
１２…水タンク水位センサ
１３…排熱回収温度計
１４、１６、１９…管路
１５…排熱回収戻水温度調整弁
１７、２２…バイパス路
１８…排熱回収戻水温度計
２０…制御装置
２１…排ガス凝縮熱交換器バイパス弁
２３…外気温度計
【図１】
2010015937.tif 000003
【図２】
2010015937.tif 000004
【図３】
2010015937.tif 000005
【図４】
2010015937.tif 000006
【図５】
2010015937.tif 000007
【図６】
2010015937.tif 000008
【図７】
2010015937.tif 000009
【図８】
2010015937.tif 000010
【図９】
2010015937.tif 000011
【図１０】
2010015937.tif 000012
【図１１】
2010015937.tif 000013
【図１２】
2010015937.tif 000014